(57)【要約】【課題】表示部の傾斜角度を調整し易い遊技情報表示装置を提供する。【解決手段】本体部３に対する表示部４の傾斜角度が２５度以上となることを抑制した状態で、複数段階の傾斜角度の中から遊技場の管理者が選択した角度で表示部４の傾斜角度を固定可能とした。また、表示部４の傾斜角度が２５度の状態で表示部４の傾斜角度を固定可能とした。これにより、表示部４の固定作業が容易となると共に、表示部４が必要以上に傾斜することや、表示部４が落下することを抑制できる。【選択図】図１
2015054031.tif 000002
【特許請求の範囲】
【請求項１】
遊技機が設置された遊技機島に取付けられる本体部と、
遊技機に関する遊技情報を表示すると共に、前記本体部に対して傾斜可能な表示部と、
前記本体部に対する前記表示部の傾斜角度が予め定められた角度である特別角度以上となることを抑制する傾斜抑制部と、
複数段階の傾斜角度の中から遊技場の管理者が選択した角度で前記表示部の傾斜角度を固定可能であると共に、前記傾斜抑制部が前記表示部の傾斜を抑制している状態で前記表示部の傾斜角度を固定可能である傾斜角度固定部と、
を備えたことを特徴とする遊技情報表示装置。
【請求項２】
前記表示部は、前記本体部の前面に対して傾斜するものであり、
前記傾斜角度固定部による前記表示部の固定を解除するための操作部であり、前記本体部の上面又は下面に設けられた第１操作部と、
前記傾斜抑制部による前記表示部の傾斜の抑制を解除するための操作部であり、前記本体部の前面に設けられた第２操作部と、
を備えたことを特徴とする請求項１記載の遊技情報表示装置。
【請求項３】
前記傾斜抑制部には、前記本体部側に設けられた本体部側係合部と、前記表示部側に設けられた表示部側係合部とが含まれ、各係合部が係合することで前記表示部の傾斜を抑制するものであり、その係合箇所を、前記複数段階の傾斜角度のうち最大となる角度で前記傾斜角度固定部が前記表示部を固定している場合の当該傾斜角度固定部の力点よりも、前記表示部側としたことを特徴とする請求項１又は２記載の遊技情報表示装置。
【発明の詳細な説明】
【技術分野】
【０００１】
本発明は、遊技機に関する遊技情報を表示する遊技情報表示装置に関する。
【背景技術】
【０００２】
遊技機が設置された遊技場では、各遊技機において遊技者に有利な特別遊技状態が発生した履歴等の遊技情報を遊技者が特定できるように、各遊技機に対応して遊技情報表示装置が設けられている。また、遊技情報表示装置は、遊技機の上方に設けられていることが一般的であり、特許文献１に示すように、遊技情報を遊技者が確認し易いように、遊技情報表示装置の表示部が遊技者に向くよう傾斜させた状態で設置されている。
【先行技術文献】
【特許文献】
【０００３】
【特許文献１】特開２００７−７５１８８号公報
【発明の概要】
【発明が解決しようとする課題】
【０００４】
しかしながら、遊技機の大きさや遊技場における遊技情報表示装置の設置高さによって、適切な傾斜角度が異なる。そして、遊技情報表示装置は、遊技場に設置する台数が多いことが一般的であり、角度の調整作業を簡易とすることが求められている。
本発明は上記事情に鑑みてなされたもので、その目的は、表示部の傾斜角度を調整し易い遊技情報表示装置を提供することにある。
【課題を解決するための手段】
【０００５】
本発明は、遊技機が設置された遊技機島に取付けられる本体部と、遊技機に関する遊技情報を表示すると共に、前記本体部に対して傾斜可能な表示部と、前記本体部に対する前記表示部の傾斜角度が予め定められた角度である特別角度以上となることを抑制する傾斜抑制部と、複数段階の傾斜角度の中から遊技場の管理者が選択した角度で前記表示部の傾斜角度を固定可能であると共に、前記傾斜抑制部が前記表示部の傾斜を抑制している状態で前記表示部の傾斜角度を固定可能である傾斜角度固定部と、を備えたものである（請求項１）。
【０００６】
請求項１記載の遊技情報表示装置において、
前記表示部は、前記本体部の前面に対して傾斜するものであり、前記傾斜角度固定部による前記表示部の固定を解除するための操作部であり、前記本体部の上面又は下面に設けられた第１操作部と、前記傾斜抑制部による前記表示部の傾斜の抑制を解除するための操作部であり、前記本体部の前面に設けられた第２操作部と、を備えていても良い（請求項２）。
【０００７】
請求項１又は２記載の遊技情報表示装置において、
前記傾斜抑制部には、前記本体部側に設けられた本体部側係合部と、前記表示部側に設けられた表示部側係合部とが含まれ、各係合部が係合することで前記表示部の傾斜を抑制するものであり、その係合箇所を、前記複数段階の傾斜角度のうち最大となる角度で前記傾斜角度固定部が前記表示部を固定している場合の当該傾斜角度固定部の力点よりも、前記表示部側としても良い（請求項３）。
【発明の効果】
【０００８】
請求項１の発明によれば、表示部の傾斜角度を調整する作業者にしてみれば、特別角度となるまで表示部を傾け、傾斜抑制部によりそれ以上の傾斜が抑制されている状態で、傾斜角度固定部により傾斜角度を固定させることができるので、固定作業が容易となる。また、傾斜角度の範囲を限定することで、表示部が必要以上に傾斜することや、表示部が落下することを抑制できる。さらに、複数段階のうち何れの傾斜角度とするかを傾斜抑制部が傾斜を抑制している状態から何段階目とするかで決定できるので、傾斜角度の調整が容易となる。
【０００９】
請求項２の発明によれば、本体部の上面や下面に傾斜角度固定部の固定を解除する第１操作部が設けられているため、遊技情報表示装置を設置している状態にて遊技者が傾斜角度固定部を操作して表示部を傾斜させてしまうおそれがあるが、傾斜角度固定部に比べ傾斜抑制部を操作する第２操作部は遊技者に操作されるおそれが少ないため、表示部が必要以上に傾斜することや表示部が落下するおそれを低減できる。つまり、傾斜抑制部の抑制解除は傾斜角度固定部の固定解除よりも操作がしにくくなっていることから、傾斜角度固定部を遊技者が操作可能な位置に設けた場合に生ずる不具合の発生を抑制できる。
【００１０】
請求項３の発明によれば、傾斜抑制部の係合部を表示部側に設けたことで、表示部が勢いよく前方に傾斜した場合にかかる衝撃を軽減できる。これにより、傾斜抑制部が破損することを抑制できる。
【図面の簡単な説明】
【００１１】
【図１】本発明の一実施形態における遊技情報表示装置を示す斜視図
【図２】遊技機及び遊技情報表示装置の斜視図
【図３】遊技情報表示装置の正面図
【図４】遊技情報表示装置の平面図
【図５】遊技情報表示装置の底面図
【図６】遊技情報表示装置の側面図
【図７】遊技情報表示装置の背面図
【図８】ＰＯＰユニットの分解斜視図
【図９】スクリーンパネルの斜視図
【図１０】スクリーンパネルの背面図
【図１１】ＰＯＰの正面図
【図１２】位置決めアームの斜視図（その１）
【図１３】位置決めアームの斜視図（その２）
【図１４】本体部の前半部と位置決めアームとの関係を示す斜視図（その１）
【図１５】係合ロッドが位置決め孔に挿入した状態で示す斜視図（その１）
【図１６】本体部の前半部と位置決めアームとの関係を示す斜視図（その２）
【図１７】係合ロッドが位置決め孔に挿入した状態で示す斜視図（その２）
【図１８】本体部の前半部と位置決めアームとの関係を示す斜視図（その３）
【図１９】係合ロッドが位置決め孔に挿入した状態で示す斜視図（その３）
【図２０】本体部側係合部を解除位置で示す前半部の部分正面図
【図２１】本体部側係合部を抑制位置で示す前半部の部分正面図
【発明を実施するための形態】
【００１２】
以下、本発明の一実施形態について図面を参照して説明する。
図２は遊技機及び遊技情報表示装置の斜視図である。遊技機１の上方には遊技情報表示装置２が設置されている。この遊技情報表示装置２は、遊技機側からの遊技信号に基づいて遊技情報を表示するもので、遊技機１にて遊技者が多数の遊技媒体を獲得可能な大当り等の特別遊技状態が発生した回数或いは履歴等を当日を含む複数日分表示することで遊技者が遊技機１を選択する目安となる情報を提供する。
【００１３】
図１は遊技情報表示装置２の斜視図、図３〜図７は遊技情報表示装置２の正面図、平面図、底面図、側面図、背面図である。遊技情報表示装置２は、箱状の本体部３の前面に表示部４を回動可能に支持して構成されており、本体部３の後面側が遊技機島に取付けられる。尚、図１、図３〜図７は本体部３に対する表示部４の傾斜角度（１５度、２０度、２５度）が中間の傾斜角度である２０度に設定されている状態で示している。また、図１は表示部４を省略して示している。
【００１４】
まず、表示部４について説明する。表示部４は、図３に示すように液晶表示部５を主体としてなり、その液晶表示部５を囲繞して呼出ボタン６、表示切替ボタン７、ランプ８等を配置して構成されている。液晶表示部５は、本体部３と図示しないケーブルにより接続されており、本体部３から給電されると共に表示用の制御信号を入力するようになっている。
【００１５】
表示部４の両側面には図２に示すように有底円環状の装着部９が一体に設けられており、その装着部９にＰＯＰユニット１０が装着されている。
図８はＰＯＰユニット１０の分解斜視図である。ＰＯＰユニット１０は、装着部９の底面に装着される内部ケース１１に、オプションのＬＥＤ基板１２、スクリーンパネル１３、ＰＯＰ１４、カバー１５を順に装着することにより構成されている。
【００１６】
図９はスクリーンパネル１３の斜視図、図１０はその背面図である。スクリーンパネル１３は半透光なポリカーボネートからなり、円環部１６の内部にスクリーン部１７を一体形成して構成されている。このスクリーン部１７は円環部１６の一方の端部から僅かに低い位置に形成されている。円環部１６の外周には内部ケース１１に対する位置決め用の凹部１６ａが形成されていると共に、スクリーン部１７が形成されている一方の端部の周縁部に押え部１６ｂが内方に突出して形成されている。円環部１６の一方の端部において一方の凹部１６ａを挟んだ両側には、一対の位置決め部１６ｃが形成されている。位置決め部１６ｃには３個の（表示部４の傾斜角度にそれぞれが対応付けられた複数の）差込孔１６ｄが円周方向に沿って等間隔に形成されている。これらの差込孔１６ｄは、ＰＯＰ１４を位置決めするためのものである。スクリーン部１７の裏側には図１０に示すように係合孔１６ｅが形成されており、その係合孔１６ｅに内部ケース１１に形成された図示しない係合爪を係合することでスクリーンパネル１３が内部ケース１１、ひいては装着部９に装着される。
【００１７】
図１１はＰＯＰ１４の正面図である。ＰＯＰ１４は厚さ０．３ｍｍの円形状の紙であり、一方の面に遊技場側からの宣伝、或いは遊技機１の情報などが印刷されている。ＰＯＰ１４の外周には１個の突起部１４ａが形成されており、その突起部１４ａをスクリーンパネル１３の位置決め部１６ｃにおける所定の差込孔１６ｄに挿入することで、表示部４の傾斜角度に関わらずＰＯＰ１４をほぼ正立した角度に位置決めすることができる。詳細には、表示部４が２５度（特別角度に相当）、２０度、１５度に傾斜するのに応じて表示部４と一体で回転するスクリーン部１７が傾斜するにしても、位置決め部１６ｃに３個設けられている差込孔１６ｄの内、ＰＯＰ１４の突起部１４ａを表示部４の傾斜角度に対応した差込孔１６ｄに挿入することで表示部４の傾斜角度に関わらずＰＯＰ１４をほぼ正立した角度に位置決めすることができる。尚、正立とは、遊技者がＰＯＰ１４を見た場合にＰＯＰ１４に描かれた例えば宣伝用の絵が鉛直方向に対して傾いていないという意味である。また、位置決め部１６ｃが一対形成されているのは、表示部４の両側に位置する装着部９に装着するＰＯＰユニット１０の各部品を共通して使用するためである。つまり、図９に示す一方の凹部１６ａに対して図示左側の位置決め部１６ｃが正面に見て表示部４の右側に位置するＰＯＰユニット１０に対応し、図示右側の位置決め部１６ｃが表示部４の左側に位置するＰＯＰユニット１０に対応する。そして、上述したようにスクリーンパネル１３にＰＯＰ１４を位置決めすると共に押え部１６ｂにより押さえることによりスクリーン部１７に密着させた状態で、透明なカバー１５を内部ケース１１に装着することによりＰＯＰ１４を有したＰＯＰユニット１０を装着部９に装着することができる。
【００１８】
以上のようにして、ＰＯＰ１４をほぼ正立した形態で視認可能に表示部４に装着することができる。
図１に示すように表示部４の後面には位置決めアーム１８が複数、具体的には位置決めアーム１８が左右対称となるように一対後方へ向けて取付けられている。図１２及び図１３は位置決めアーム１８の斜視図である。位置決めアーム１８は、矢じり形状のアーム部１９をベース部２０に溶接して形成されている。アーム部１９は金属をプレス成型して形成されており、４個の位置決め孔２１ａ〜２１ｄ（傾斜角度固定部に相当）が表示部４の回転に伴うアーム部１９の回転軌跡上に沿って形成されている。これらの位置決め孔２１ａ〜２１ｄは、表示部４に近い方から本体部３に対する表示部４の傾斜角度が０．５度、１５度、２０度、２５度に対応している。尚、傾斜角度が０．５度は梱包用（搬送用）であり、遊技情報表示装置２を遊技機島に設置した状態では１５度、２０度、２５度が傾斜角度として有効である。アーム部１９の側面には位置決め孔２１ｂ〜２１ｄに対応する傾斜角度を示すために図１２に示すように表示部４に近い方から１５、２０、２５の数字がプレス成型により刻印されている。この場合、それらの数字は、位置決め孔２１ｂ〜２１ｄの間隔に対応した間隔で刻印されており、数字が重ならないようにアーム部１９の幅方向にずれた位置に設けられている。アーム部１９において２０度と２５度に対応する位置決め孔２１ｃ，２１ｄの中間には側方に突出した表示部側係合部２２（傾斜抑制部に相当）が一体形成されている。この表示部側係合部２２は、後述するように位置決めアーム１８に対する回転抑制が解除された場合に表示部４が前方に勢いよく傾倒することを防止するためのものである。位置決めアーム１８は、ベース部２０が表示部４の後面の所定部位にねじ止めされることにより表示部４に取付けられている。
【００１９】
図１に示すように本体部３は、前半部２３と後半部２４と底部２５とをネジ止めして構成されており、内部に図示しない電源装置及び制御用の回路基板等が配置されている。底部２５の前面には図示しないシャフトが幅方向に沿って取付けられており、そのシャフトに表示部４の後面側下部に設けられた図示しない支持部が回動可能に支持されている。これにより、表示部４は、本体部３の前面下端部において本体部３の前面に対して傾斜可能に支持されている。
【００２０】
図１４は本体部３の前半部２３と位置決めアーム１８との関係を示す斜視図で、後半部２４及び底部２５並びに表示部４の図示を省略している。尚、図１４は表示部４の本体部３に対する傾斜角度が１５度の状態を示している。本体部３の前面には位置決めアーム１８に対応する一対の窓部２６が形成されており、表示部４が本体部３に対して傾斜するのに伴って位置決めアーム１８が窓部２６を通過するようになっている。本体部３の上面には固定ハンドル２７（第１操作部に相当）が装着されている。この固定ハンドル２７の両端部には図１５に示すように係合ロッド２８（傾斜角度固定部に相当）が図示下方に向けて取付けられており、その係合ロッド２８が本体部３の上面に固定された支持部２９を貫通した状態で本体部３の内部に進入している。これにより、固定ハンドル２７が本体部３に対して図示上下方向にスライド操作可能となっている。
【００２１】
係合ロッド２８の中間部には図示しない留め具が固定されており、その留め具と本体部３の上面との間に圧縮スプリング３０が巻装されている。この圧縮スプリング３０により、係合ロッド２８、ひいては固定ハンドル２７に対して図示下方への弾性力が付与されている。係合ロッド２８は位置決めアーム１８の位置決め孔２１ａ〜２１ｄの移動軌跡上に突出可能になっており、何れかの位置決め孔２１ａ〜２１ｄに挿入することで位置決めアーム１８の位置、ひいては表示部４の本体部３に対する傾斜角度を固定するようになっている。つまり、係合ロッド２８が位置決め孔２１ａ〜２１ｄに挿入した状態では、係合ロッド２８と、位置決め孔２１ａ〜２１ｄを形成する壁部とが係合しており、その係合により表示部４の傾斜角度が固定されている。
【００２２】
窓部２６の周縁部には３個の三角形状の指標部３１ａ〜３１ｃが突出形成されている。これらの指標部３１ａ〜３１ｃは位置決めアーム１８に刻印された数字に対応して形成されており、図１４に示すように最上位置の指標部３１ａが位置決めアーム１８に刻印された１５という数字を指示する場合は、図１５に示すように係合ロッド２８が１５度に対応した位置決め孔２１ｂに挿入した状態である。また、図１６に示すように中間位置の指標部３１ｂが２０という数字を指示する場合は、図１７に示すように係合ロッド２８が２０度に対応した位置決め孔２１ｃに挿入した状態である。そして、図１８に示すように最下位置の指標部３１ｃが２５という数字を指示する場合は、図１９に示すように係合ロッド２８が２５度に対応した位置決め孔２１ｄに挿入した状態である。従って、表示部４の傾斜角度を調整する場合は、指標部３１ａ〜３１ｃの何れかが位置決めアーム１８に刻印された対応する数字を指示するような位置関係となる位置で固定することで表示部４の傾斜角度を任意に調整することができる。
【００２３】
図２０に示すように窓部２６において指標部３１ａ〜３１ｃと反対側となる部位に副窓部２６ａが窓部２６と一体に形成されており、表示部４が本体部３に対して傾斜するのに伴って位置決めアーム１８の表示部側係合部２２が副窓部２６ａを通過するようになっている。本体部３の裏側において副窓部２６ａの上方となる部位には図１５に示す本体部側係合部３２（傾斜抑制部に相当）がスライド可能に設けられている。この本体部側係合部３２には摘み３３（第２操作部に相当）が設けられており、その摘み３３が本体部３に形成された窓部３４から前方に突出して操作可能となっている。摘み３３に対するスライド操作により本体部側係合部３２の先端が位置決めアーム１８の表示部側係合部２２の移動軌跡上から退出した解除位置（図２０参照）と、移動軌跡上に突出した抑制位置（図２１参照）とに切替可能となっている。この場合、本体部側係合部３２が抑制位置に切替えられた状態での本体部側係合部３２と表示部側係合部２２との関係は、表示部４の傾斜角度が１５度と２０度の場合は、図１５及び図１７に示すように表示部側係合部２２の前方に本体部側係合部３２が位置している。これに対して、表示部４の傾斜角度が２５度の場合は、図１９に示すように表示部側係合部２２に本体部側係合部３２が当接した位置関係となっており、その位置関係では、係合ロッド２８が２５度に対応した位置決め孔２１ｄに挿入可能な位置関係となっている。
【００２４】
尚、表示部側係合部２２と本体部側係合部３２が完全に当接していなくとも、表示部側係合部２２と本体側係合部３２がわずかに離れた状態で、係合ロッド２８を位置決め孔２１ｄに挿入可能としても良い。つまり、表示部４がそれ以上ほぼ傾斜できない状態で係合ロッド２８を位置決め孔２１ｄに挿入可能としても良い。
より詳細には、表示部側係合部２２と本体側係合部３２とが当接した状態で、係合ロッド２８と位置決め孔２１ｄとが係合ロッド２８の挿入方向にみて少なくとも一部が重なっていれば、表示部側係合部２２と本体側係合部３２が当接した状態では係合ロッド２８を位置決め孔２１ｄに挿入できなくとも、表示部４をわずかに動かせば（表示部側係合部２２と本体側係合部３２がわずかに離せば）係合ロッド２８を挿入可能な状態とすることができる。この場合も、請求項１でいう「傾斜抑制部が表示部の傾斜を抑制している状態で表示部の傾斜角度を固定可能である」ことに含まれることは言うまでもない。
【００２５】
図５に示すように本体部３の下面（底部２５）にはスピーカ３５が設けられており、スピーカ３５から効果音、或いは店内放送が放送されるようになっている。
図６及び図７に示すように本体部３の後面（後半部２４）には幅方向に沿って横断する溝部３６が形成されており、その溝部３６の底面にＬ字形状の複数の係合突起３７が本体部３の横方向を指向して突出形成されている。この係合突起３７は、遊技機島に取付けられた図示しない取付ベースにワンタッチで係合するためのものである。つまり、取付ベースには係合突起３７が係合する係合孔が形成されており、その係合孔に係合突起３７を挿入した状態で本体部３を横方向にスライドすることにより係合突起３７が係合孔に強く係合するようになっている。本体部３が取付ベースに装着された形態では、取付ベースは本体部３の溝部３６に位置するようになっており、その装着状態では、本体部３の後面が遊技機島にほぼ密着するようになっている。尚、本体部３の後面からは電源用ケーブル３８及び制御用ケーブル３９が外部に導出されている。
【００２６】
上記構成の遊技情報表示装置２を梱包して工場から出荷したり、遊技情報表示装置２を運搬したりする場合は、位置決めアーム１８における０．５度に対応した位置決め孔２１ａに係合ロッド２８を挿入した状態とする。つまり、遊技情報表示装置２は表示部４と本体部３とが密着して折畳まれた形態となるので、梱包容積を最小化したり、運搬の容易化を図ったりすることができる。この場合、摘み３３をスライド操作して本体部側係合部３２を抑制位置に位置させる。
【００２７】
さて、遊技場にて遊技情報表示装置２を遊技機島に取付けるには、まず、専用の取付ベースを遊技機島の幕板の所定位置に予め取付けておく。次に、本体部３に対する表示部４の傾斜角度を適切に調整する。表示部４の傾斜角度を適切に調整するには、固定ハンドル２７を引上げて係合ロッド２８を０．５度に対応する位置決め孔２１ａから退出させ、その状態で表示部４を本体部３から前方に傾斜させて指標部３１ａ〜３１ｃの何れかが所望の傾斜角度に対応した数字を示すように表示部４の傾斜角度を調整してから固定ハンドル２７を押下げる。これにより、本体部３に対する表示部４の傾斜角度を適切に調整することができる。
【００２８】
ところで、表示部４の傾斜角度は、遊技情報表示装置２の取付高さに応じて異なり、取付高さが高くなるほど遊技者が表示部４を見易いように傾斜角度を大きく設定する必要がある。表示部４の適切な傾斜角度を求めるには、表示部４を例えば中間の傾斜角度である２０度に設定した状態で遊技情報表示装置２を取付ベースに取付け、椅子に座った状態で遊技情報表示装置２を見上げた場合に表示部４をほぼ真正面から正視できるかで判断する。つまり、表示部４の傾斜角度が２０度では表示部４が見にくい場合は、固定ハンドル２７を操作して表示部４を適切な傾斜角度に調整する。
【００２９】
上述のようにして、管理者が表示部４の適切な傾斜角度を決定した後は、他の遊技情報表示装置２の表示部４の傾斜角度を床に置いた状態で調整する。この場合、表示部４を表示部側係合部２２と本体部側係合部３２とが係合するまで傾斜すると、表示部４の傾斜角度が２５度となるので、表示部４の傾斜角度を２５度に固定する場合は、その状態で固定ハンドル２７を押下げる。また、表示部４の傾斜角度を２０度に固定する場合は、表示部側係合部２２と本体部側係合部３２とが係合した状態から表示部４の傾斜角度を１段階（２５度から２０度）小さくなるように調整する。同様に、表示部４の傾斜角度を１５度に固定する場合は、表示部側係合部２２と本体部側係合部３２とが係合した状態から表示部４の傾斜角度を２段階（２５度から１５度）小さくなるように調整する。そして、表示部４の傾斜角度の調整が終了したときは、本体部３を取付ベースにワンタッチで装着することで表示部４の傾斜角度が適切に調整された遊技情報表示装置２を遊技機島に容易に取付けることができる。
【００３０】
一方、表示部４と本体部３との連結状態、或いは電気的な接続状態を確認したい場合は、摘み３３に対するスライド操作により本体部側係合部３２を解除位置に位置した状態で、表示部４を支えながら固定ハンドル２７を引上げる。すると、係合ロッド２８が位置決め孔２１ａ〜２１ｄから退出するので、表示部４を前方に２５度以上傾斜させることができるので、斜め前方から見易くなり、表示部４と本体部３との連結状態、或いは電気的な接続状態を容易に確認することが可能となる。
【００３１】
ところで、固定ハンドル２７は本体部３の上面に設けられており、本体操作が禁止されている遊技者であっても操作可能となっている。このため、遊技者が固定ハンドル２７に対する引上げ操作を行った場合は、表示部４が本体部３から前方に勢いよく傾倒するおそれがある。しかしながら、遊技者により固定ハンドル２７に対する引上げ操作を行うことが比較的容易に行うことが可能であるとしても、本体部３の前面に設けられている摘み３３は表示部４により正面から見にくいと共に表示部４により操作が邪魔されることから、遊技者が摘み３３を操作してしまうおそれを大きく低減することができる。これにより、遊技者の誤った操作による危険性を低減して安全性を高めることができる。
【００３２】
ここで、位置決めアーム１８に設けた表示部側係合部２２は、表示部４が前方に勢いよく傾倒した場合に本体部側係合部３２に強く当接して大きな衝撃が作用することから、それらが破損してしまうおそれがある。この場合、表示部側係合部２２を表示部４側に位置させるほどその衝撃が小さくなるものの、そのように構成した場合には、表示部４を大きな傾斜角度に設定する際に摘み３３を一々操作して本体部側係合部３２を表示部側係合部２２の移動軌跡から退出させる必要を生じ面倒である。そこで、本実施形態では、表示部４の最大傾斜角度である２５度に設定された場合に表示部側係合部２２と本体部側係合部３２とが当接するような位置関係に設定することで、表示部４の傾斜角度を調整する際に摘み３３をスライド操作する必要を生じることがなく、しかも最大限に表示部４側となる位置に表示部側係合部２２を設けるようにした。つまり、表示部側係合部２２と本体部側係合部３２との係合箇所を、複数段階の傾斜角度のうち最大傾斜角度となる２５度で係合ロッド２８が位置決めアーム１８を固定している場合の力点よりも表示部４側としたことを特徴とするものである。
【００３３】
このような実施形態によれば、次のような効果を奏することができる。
本体部３に対する表示部４の傾斜角度が最大傾斜角度である２５度以上となることを抑制した状態で、複数段階の傾斜角度の中から遊技場の管理者が選択した角度で表示部４の傾斜角度を固定可能としたので、固定作業が容易となる。また、表示部４の傾斜角度が２５度の状態で表示部４の傾斜角度を固定可能としたので、表示部４が必要以上に傾斜することや、表示部４が落下することを抑制できる。さらに、複数段階のうち何れの傾斜角度とするかを表示部側係合部２２と本体部側係合部３２とが係合することにより表示部４の傾斜を抑制している状態から何段階目とするかで決定できるので、傾斜角度の調整が容易となる。
【００３４】
摘み３３による表示部側係合部２２に対する抑制解除は、固定ハンドル２７に対する引上げ操作による位置決めアーム１８の固定解除よりも操作がしにくくなっているので、遊技者に操作されるおそれが少なく、表示部４が必要以上に傾斜することや表示部４が落下するおそれを低減できる。つまり、固定ハンドル２７を遊技者が操作可能な位置に設けた場合に生ずる不具合の発生を抑制できる。
位置決めアーム１８に設けた表示部側係合部２２を極力表示部４側に接近して設けるようにしたので、表示部４が前方に勢いよく傾倒した場合にかかる衝撃を軽減でき、表示部側係合部２２或いは本体部側係合部３２が破損することを抑制できる。
【００３５】
（その他の実施形態）
本発明は、上記実施形態に限定されることなく、次のように変形または拡張したり、各変形例を上記実施形態と組合せたり、各変形例を組合せるようにしても良い。
表示部４の傾斜角度の固定に係合ロッド２８が位置決め孔２１ｂ〜２１ｄに係合する構成を採用すると共に、傾斜抑制部として表示部側係合部２２と本体部側係合部３２とが係合する構成を採用したが、少なくとも一方の構成を任意に変更しても良い。例えば、ラッチと受金具等を用いて表示部４の傾斜角度を固定する構成を採用しても良い。
固定ハンドル２７は本体部３の上面に設ける構成としたが、位置を変更しても良く、例えば、本体部３の下面に設ける構成としても良い。
表示部側係合部２２の位置を任意に変更しても良い。
【００３６】
表示部側係合部２２により表示部４がそれ以上傾斜することを抑制している傾斜角度である２５度で表示部４を固定できなくても良い。
表示部４の傾斜角度は１５度、２０度、２５度に限定されるものではなく、それ以上の角度を設定したり、例えば３度毎に角度を設定するようにしても良い。
位置決めアーム１８を３個以上設けるようにしても良い。
固定ハンドル２７や摘み３３がない構成としても良い。この場合、ネジ留め等により表示部４の傾斜角度を固定する構成や、本体部側係合部３２を窓部２６に突出した状態で固定する（取り付ける）構成とすれば良い。つまり、表示部の傾斜角度の固定や、傾斜抑制部による表示部の傾斜の抑制を解除するための操作部が無い構成としても良い。
【符号の説明】
【００３７】
図面中、１は遊技機、２は遊技情報表示装置、３は本体部、４は表示部、２１ａ〜２１ｄは位置決め孔（傾斜角度固定部）、２２は表示部側係合部（傾斜抑制部）、２７は固定ハンドル（第１操作部）、２８は係合ロッド（傾斜角度固定部に相当）、３２は本体部側係合部（傾斜抑制部）、３３は摘み（第２操作部）である。
【図１】
2015054031.tif 000003
【図２】
2015054031.tif 000004
【図３】
2015054031.tif 000005
【図４】
2015054031.tif 000006
【図５】
2015054031.tif 000007
【図６】
2015054031.tif 000008
【図７】
2015054031.tif 000009
【図８】
2015054031.tif 000010
【図９】
2015054031.tif 000011
【図１０】
2015054031.tif 000012
【図１１】
2015054031.tif 000013
【図１２】
2015054031.tif 000014
【図１３】
2015054031.tif 000015
【図１４】
2015054031.tif 000016
【図１５】
2015054031.tif 000017
【図１６】
2015054031.tif 000018
【図１７】
2015054031.tif 000019
【図１８】
2015054031.tif 000020
【図１９】
2015054031.tif 000021
【図２０】
2015054031.tif 000022
【図２１】
2015054031.tif 000023